【手続補正書】
【提出日】平成19年11月12日(2007.11.12)
【手続補正１】
【補正対象書類名】明細書
【補正対象項目名】特許請求の範囲
【補正方法】変更
【補正の内容】
【特許請求の範囲】
【請求項１】
物理量を表現するデジタル信号の分割方法であって、
前記信号の初期の区分を決定する工程と、
前記信号の表現及び、前記信号の表現上に重ね合わされた、すでに決定された前記信号の前記区分の表現を表示する工程と、
少なくとも１つの区分修正パラメータを、ユーザの介入を通して取得する工程と、
前記少なくとも１つの区分修正パラメータに応じて前記信号の前記区分を修正する工程と、
前記区分修正パラメータの表現を表示する工程と
を含むことを特徴とする分割方法。
【請求項２】
前記信号の前記区分は前記信号のサンプルの複数のブロックを含み、且つ前記少なくとも１つの区分修正パラメータはブロック高さ及びブロック幅の中から選択されることを特徴とする請求項１記載の分割方法。
【請求項３】
前記少なくとも１つの区分修正パラメータにより、前記区分を前記信号に関して平行移動させることが可能になることを特徴とする請求項１又は２記載の分割方法。
【請求項４】
前記信号の前記修正された区分は所定の１組の区分の中から選択されることを特徴とする請求項１から３のいずれか１項に記載の分割方法。
【請求項５】
前記信号の符号化及び復号をシミュレートするシミュレート工程を更に含み、且つ前記表示される信号の表現は前記シミュレート工程の結果であることを特徴とする請求項１から４のいずれか１項に記載の分割方法。
【請求項６】
前記信号の前記表現におけるひずみが強調されることを特徴とする請求項５記載の分割方法。
【請求項７】
物理量を表現するデジタル信号を符号化する方法であって、請求項１から６のいずれか１項に記載の前記分割方法を含むことを特徴とする方法。
【請求項８】
物理量を表現するデジタル信号の分割装置であって、
前記信号の初期の区分を決定する決定手段と、
前記信号の表現及び、前記信号の表現上に重ね合わされた、すでに決定された前記信号の前記区分の表現を表示する表示手段と、
少なくとも１つの区分修正パラメータを、ユーザの介入を通して取得する取得手段と、
前記少なくとも１つの区分修正パラメータに応じて前記信号の前記区分を修正する区分修正手段と
を有することを特徴とする分割装置。
【請求項９】
前記決定手段は、前記信号のサンプルの複数のブロックを含む前記信号の区分を形成し、且つ前記取得手段は、ブロック高さ及びブロック幅の中から前記少なくとも１つの区分修正パラメータを選択することを特徴とする請求項８記載の分割装置。
【請求項１０】
前記取得手段は、前記信号に関して前記区分を平行移動させることを可能にする修正パラメータを選択することを特徴とする請求項８又は９記載の分割装置。
【請求項１１】
前記区分修正手段は、所定の１組の区分に含まれる修正区分を選択することを特徴とする請求項８から１０のいずれか１項に記載の分割装置。
【請求項１２】
前記信号の符号化及び復号をシミュレートするシミュレート手段を更に含み、且つ表示される前記信号の前記表現は前記シミュレート手段の結果であることを特徴とする請求項８から１１のいずれか１項に記載の分割装置。
【請求項１３】
前記信号の前記表現におけるひずみを強調することを特徴とする請求項１２記載の分割装置。
【請求項１４】
前記決定手段、前記表示手段、前記取得手段及び前記区分修正手段は、
マイクロプロセッサと、
データを処理するためのプログラムを含む読み取り専用メモリと、
前記プログラムの実行中に修正される複数の変数を記録するための複数のレジスタを含むランダムアクセスメモリと
により実現されることを特徴とする請求項８から１３のいずれか１項に記載の分割装置。
【請求項１５】
物理量を表現するデジタル信号を符号化する装置であって、請求項８から１４のいずれか１項に記載の前記分割装置を含むことを特徴とする装置。
【請求項１６】
請求項１から７のいずれか１項に記載の前記方法を実現するための手段を有することを特徴とするデジタル信号処理装置。
【請求項１７】
請求項８から１５のいずれか１項に記載の前記装置を含むことを特徴とするデジタル信号処理装置。
【請求項１８】
請求項１から７のいずれか１項に記載の前記方法を実現するためのプログラムを格納する記憶媒体。
【請求項１９】
物理量を表現するデジタル信号の分割方法を実現するためのプログラムを格納する記憶媒体であって、前記方法は、
前記信号の初期の区分を決定する工程と、
前記信号の表現及び、前記信号の表現上に重ね合わされた、すでに決定された前記信号の前記区分の表現を表示する工程と、
少なくとも１つの区分修正パラメータを、ユーザの介入を通して取得する工程と、
前記少なくとも１つの区分修正パラメータに応じて前記信号の前記区分を修正する工程と、
前記区分修正パラメータの表現を表示する工程と
を含むことを特徴とする記憶媒体。
【請求項２０】
前記記憶媒体はフレキシブルディスク又はＣＤ−ＲＯＭであることを特徴とする請求項１９記載の記憶媒体。
【手続補正２】
【補正対象書類名】明細書
【補正対象項目名】００１０
【補正方法】変更
【補正の内容】
【００１０】
全般的には、本発明は、物理量を表現するデジタル信号の分割方法であって、
前記信号の初期の区分を決定する工程と、
前記信号の表現及び、前記信号の表現上に重ね合わされた、すでに決定された前記信号の前記区分の表現を表示する工程と、
少なくとも１つの区分修正パラメータを、ユーザの介入を通して取得する工程と、
前記少なくとも１つの区分修正パラメータに応じて前記信号の前記区分を修正する工程と、
前記区分修正パラメータの表現を表示する工程とを含むことを特徴とする分割方法に関する。
【手続補正３】
【補正対象書類名】明細書
【補正対象項目名】００１１
【補正方法】削除
【補正の内容】
【手続補正４】
【補正対象書類名】明細書
【補正対象項目名】００２３
【補正方法】変更
【補正の内容】
【００２３】
これに関連して、本発明は、物理量を表現するデジタル信号の分割装置であって、
前記信号の初期の区分を決定する決定手段と、
前記信号の表現及び、前記信号の表現上に重ね合わされた、すでに決定された前記信号の前記区分の表現を表示する表示手段と、
少なくとも１つの区分修正パラメータを、ユーザの介入を通して取得する取得手段と、
前記少なくとも１つの区分修正パラメータに応じて前記信号の前記区分を修正する区分修正手段とを有することを特徴とする分割装置を提案する。
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】削除
【補正の内容】
【手続補正１５】
【補正対象書類名】明細書
【補正対象項目名】００３５
【補正方法】削除
【補正の内容】
【手続補正１６】
【補正対象書類名】明細書
【補正対象項目名】００３６
【補正方法】削除
【補正の内容】
【手続補正１７】
【補正対象書類名】明細書
【補正対象項目名】００３７
【補正方法】削除
【補正の内容】
【手続補正１８】
【補正対象書類名】明細書
【補正対象項目名】００３８
【補正方法】削除
【補正の内容】
【手続補正１９】
【補正対象書類名】明細書
【補正対象項目名】００３９
【補正方法】削除
【補正の内容】
【手続補正２０】
【補正対象書類名】明細書
【補正対象項目名】００４０
【補正方法】削除
【補正の内容】